(57)【要約】【課題】運転座席からの容器の出し入れがし易い状態で飲料を携帯することを構造簡単に可能にする乗用型田植機を提供する。【解決手段】走行車体の後部に設けられた運転座席３２と、運転座席３２の前方に設けられたステアリングハンドル３３と、走行車体の前部における横側に設けられた予備苗収容装置２０とを備えている。予備苗収容装置２０は、車体上下向きの支柱２１と、支柱２１ら車体横外側に突出した状態で支柱２１に支持された上下複数段の苗載せ棚２２とを備えている。支柱２１にドリンク用ホルダー４０が支持されている。【選択図】図２
2016082903.tif 000002
【特許請求の範囲】
【請求項１】
走行車体の後部に設けられた運転座席と、
前記運転座席の前方に設けられたステアリングハンドルと、
前記走行車体の前部における横側に設けられた予備苗収容装置と、を備え、
前記予備苗収容装置は、
車体上下向きの支柱と、
前記支柱から車体横外側に突出した状態で前記支柱に支持された上下複数段の苗載せ棚と、を備え、
前記支柱にドリンク用ホルダーが支持されている乗用型田植機。
【請求項２】
前記ドリンク用ホルダーは、前記支柱から車体横内側に突出している請求項１に記載の乗用型田植機。
【請求項３】
運転ステップ、及び、前記ステアリングハンドルの横側方に設けられたブレーキペダルを備え、
前記走行車体は、前部における左横側及び右横側に前記運転ステップと車体前端部とに亘る状態で設けられたステップを備え、
前記ドリンク用ホルダーを支持する前記支柱は、前記走行車体における前記ブレーキペダルを備えた側に位置している請求項２に記載の乗用型田植機。
【請求項４】
前記ドリンク用ホルダーの下端が上下複数段の前記苗載せ棚のうちの最下段の苗載せ棚よりも上方に位置している請求項３に記載の乗用型田植機。
【請求項５】
前記ブレーキペダルは、走行車体上下向きのペダルアームと、ペダルアームの上端部に支持されるペダル部とを備え、
前記ドリンク用ホルダーの車体横内側端が、車体前後方向視において、前記ペダルアームよりも車体横外側に位置し、かつ前記ペダル部の車体横外側端よりも車体横内側に位置している請求項４に記載の乗用型田植機。
【請求項６】
前記ドリンク用ホルダーの横側部に取付部が一体成形され、
前記取付部のドリンク用ホルダー側とは反対側の端部に挟持部材が連結され、前記取付部と前記挟持部材とによる前記支柱の挟持によって、前記ドリンク用ホルダーが前記支柱に支持されるよう構成され、
前記ドリンク用ホルダー及び前記取付部は、樹脂製であり、
前記挟持部材は、金属製である請求項１〜５のいずれか一項に記載の乗用型田植機。
【請求項７】
前記支柱に位置決め孔が設けられ、
前記位置決め孔に係入する位置決め突起が前記挟持部材に設けられ、
前記位置決め突起が金属製である請求項６に記載の乗用型田植機。
【請求項８】
前記取付部のドリンク用ホルダー側とは反対側の端部における上端が前記ドリンク用ホルダーの上端よりも下方に位置している請求項６又は７に記載の乗用型田植機。
【発明の詳細な説明】
【技術分野】
【０００１】
本発明は、乗用型田植機、詳しくは、走行車体の後部に設けられた運転座席と、前記運転座席の前方に設けられたステアリングハンドルと、前記走行車体の前部における横側に設けられた予備苗収容装置と、を備え、前記予備苗収容装置は、車体上下向きの支柱と、前記支柱から車体横外側に突出した状態で前記支柱に支持された上下複数段の苗載せ棚と、を備えた乗用型田植機に関する。
【背景技術】
【０００２】
上記した乗用型田植機として、従来、たとえば特許文献１に示される乗用型田植機があった。特許文献１に示される乗用型田植機には、運転席及び操縦ハンドルが備えられている。機体の前部の右及び左横側に支柱が設けられ、左右の支柱に上下２段の予備苗のせ台が支持されている。
【先行技術文献】
【特許文献】
【０００３】
【特許文献１】特開２０１３−６３０２１号公報
【発明の概要】
【発明が解決しようとする課題】
【０００４】
乗用型田植機において、作業時に飲料を携帯できることが望まれているが、運転座席の横側には、空スペースがあまりなく、ペットボトルなどの容器のための収容部を運転座席の横側に設け難い。運転座席の横側に容器を収容できるようにできたとしても、この場合、容器の収容箇所が運転座席に近過ぎ、容器を見難いなどにより、運転座席に着いている作業者による容器の出し入れがし難い。  
【０００５】
本発明の目的は、運転座席からの容器の出し入れがし易い状態で飲料を携帯することを構造簡単に可能にする乗用型田植機を提供することにある。
【課題を解決するための手段】
【０００６】
本第１発明による乗用型田植機は、
走行車体の後部に設けられた運転座席と、
前記運転座席の前方に設けられたステアリングハンドルと、
前記走行車体の前部における横側に設けられた予備苗収容装置と、を備え、
前記予備苗収容装置は、
車体上下向きの支柱と、
前記支柱から車体横外側に突出した状態で前記支柱に支持された上下複数段の苗載せ棚と、を備え、
前記支柱にドリンク用ホルダーが支持されている。
【０００７】
本構成によると、走行車体の前部の横側に位置する予備苗収容装置の支柱にドリンク用ホルダーが支持されているので、ドリンク用ホルダーを利用することで、ペットボトルなどの容器を運転座席から見易い位置に収容できる。また、運転座席に着座したままでも、手を前方に伸ばすことで容器に手が届く。
【０００８】
従って、予備苗収容装置の支柱をドリンク用ホルダーの支柱に活用した簡単な構造を採用するだけで飲料の携帯を可能にできる。そして、ペットボトルなどの容器を運転座席から出し入れし易い状態で収容できる。
【０００９】
本第２発明では、前記ドリンク用ホルダーは、前記支柱から車体横内側に突出していると好適である。
【００１０】
本構成によれば、ペットボトルなどの容器を支柱よりも車体横内側に収容することになり、運転座席から容器をより容易に出し入れできる。
【００１１】
本第３発明では、運転ステップ、及び、前記ステアリングハンドルの横側方に設けられたブレーキペダルを備え、前記走行車体は、前部における左横側及び右横側に前記運転ステップと車体前端部とに亘る状態で設けられたステップを備え、前記ドリンク用ホルダーを支持する前記支柱は、前記走行車体における前記ブレーキペダルを備えた側に位置している。
【００１２】
走行車体におけるブレーキペダルを備えた側に位置している支柱からドリンク用ホルダーを車体横内側に突出させる結果、ドリンク用ホルダーがステップの上方に位置することになっても、ドリンク用ホルダーの下方に位置するステップは、ブレーキペダルが位置するために、車体前方の車外と、運転部との間を移動するのに使用されることがあまりないステップであるので、ドリンク用ホルダーを支柱から車体横内側に突出させても、あまり問題が生じない。従って、ドリンク用ホルダーを支柱から車体横内側に突出させ、ペットボトルなどの容器を支柱よりも車体横内側に収容するようにできる。すなわち、ペットボトルなどの容器を運転座席から出し入れし易いように収容できる。
【００１３】
本第４発明では、前記ドリンク用ホルダーの下端が上下複数段の前記苗載せ棚のうちの最下段の苗載せ棚よりも上方に位置している。
【００１４】
本構成によれば、ドリンク用ホルダーの位置する高さがあまり低くならず、ペットボトルなどの容器を運転座席から出し入れし易い状態でドリンク用ホルダーに収容できる。
【００１５】
本第５発明では、前記ブレーキペダルは、走行車体上下向きのペダルアームと、ペダルアームの上端部に支持されるペダル部とを備え、前記ドリンク用ホルダーの車体横内側端が、車体前後方向視において、前記ペダルアームよりも車体横外側に位置し、かつ前記ペダル部の車体横外側端よりも車体横内側に位置している。
【００１６】
本構成によれば、ペダル部の上方にドリンク用ホルダーがあまり入り込まず、ドリンク用ホルダーのためにブレーキペダルが操作し難くなることを回避しつつ、ドリンク用ホルダーが極力車体横内側に位置して、ペットボトルなどの容器を運転座席から出し入れし易い状態でドリンク用ホルダーに収容できる。
【００１７】
本第６発明では、前記ドリンク用ホルダーの横側部に取付部が一体成形され、前記取付部のドリンク用ホルダー側とは反対側の端部に挟持部材が連結され、前記取付部と前記挟持部材とによる前記支柱の挟持によって、前記ドリンク用ホルダーが前記支柱に支持されるよう構成され、前記ドリンク用ホルダー及び前記取付部は、樹脂製であり、前記挟持部材は、金属製である。
【００１８】
本構成によれば、取付部と挟持部材との締め付けによって挟持部材が変形することを、挟持部材が金属製であることによって防止しつつ、取付部と挟持部材とによって支柱を挟持させることができ、ドリンク用ホルダーを支柱にしっかり取り付けることができる。
【００１９】
本第７発明では、前記支柱に位置決め孔が設けられ、前記位置決め孔に係入する位置決め突起が前記挟持部材に設けられ、前記位置決め突起が金属製である。
【００２０】
本構成によれば、位置決め突起が位置決め孔に係入することにより、かつ位置決め突起が金属製であって変形し難いことにより、挟持部材の支柱に対する回り止め及び位置ずれ防止を精度良くでき、ドリンク用ホルダーを支柱にずれ動かないように取付けることができる。
【００２１】
本第８発明では、前記取付部のドリンク用ホルダー側とは反対側の端部における上端が前記ドリンク用ホルダーの上端よりも下方に位置している。
【００２２】
本構成によれば、取付部のドリンク用ホルダー側とは反対側の端部における上端と、ドリンク用ホルダーの上端とが同じ高さに位置するものに比べ、ドリンク用ホルダーの容器の出入口を高く位置させることができる。
【図面の簡単な説明】
【００２３】
【図１】乗用型田植機の全体を示す側面図である。
【図２】乗用型田植機の全体を示す平面図である。
【図３】走行車体を示す正面図である。
【図４】下段の苗載せ棚及びドリンク用ホルダーを示す斜視図である。
【図５】支柱に取付けた状態のドリンク用ホルダーを示す縦断正面図である。
【図６】支柱に取付けた状態のドリンク用ホルダーを示す平面図である。
【発明を実施するための形態】
【００２４】
以下、本発明の実施の形態を図面に基づいて説明する。
図１は、本発明の実施例に係る乗用型田植機の全体を示す側面図である。図２は、本発明の実施例に係る乗用型田植機の全体を示す平面図である。図３は、走行車体を示す正面図である。図１，２，３に示すように、乗用型田植機は、車体フレーム１の前部に左右一対の前車輪２が駆動可能に、かつ操向操作可能に装備され、車体フレーム１の後部に左右一対の後車輪３が駆動可能に装備された走行車体を備えている。走行車体には、原動部４と搭乗型の運転部５とが設けられている。原動部４には、エンジン４ａ及びエンジンボンネット４ｂが備えられている。エンジン４ａからの駆動力がミッションケース６に入力され、ミッションケース６から左右の前輪駆動ケース７に伝達されて、左右の前車輪２が駆動される。ミッションケース６からの駆動力が後輪駆動ケース８に伝達されて、左右の後車輪３が駆動される。走行車体の後部に苗植付装置１０が下降作業姿勢と上昇非作業姿勢とに昇降操作可能に連結されている。走行車体の前部の左横側及び右横側の夫々に、予備苗収容装置２０が設けられている。
【００２５】
乗用型田植機は、苗植付装置１０を下降作業姿勢に下降させた状態にして走行車体を走行させることにより、苗植付装置１０によって４条植えが可能な苗植え作業を行なう。
【００２６】
苗植付装置１０について説明する。
苗植付装置１０には、左右一対の植付駆動ケース１１を有した植付機体が備えられている。左右の植付駆動ケース１１の夫々の後部の両横側部に苗植付機構１２が駆動可能に支持されている。植付機体の前部の上方に苗載台１３が支持されている。植付機体の下部に機体横方向に並ぶ３つの接地フロート１４が取付けられている。
【００２７】
苗植付装置１０は、リンク機構９を介して走行車体に連結されている。リンク機構９を昇降シリンダ９ａによって走行車体に対して上下に揺動操作することにより、苗植付装置１０がリンク機構９によって昇降操作され、苗植付装置１０を、接地フロート１４が圃場面に接地した状態の下降作業姿勢と、接地フロート１４が圃場面から高く上昇した状態の上昇非作業姿勢とに昇降できる。
【００２８】
４つの苗植付機構１２の夫々には、苗植えアーム１２ａが備えられている。苗植えアーム１２ａの先端側に植付爪１２ｂが設けられている。各苗植付機構１２は、苗植えアーム１２ａが揺動駆動されることで、植付爪１２ｂの先端側が上下に回動移動する苗植え運動を行ない、植付爪１２ｂによって苗載台１３のマット状苗から苗を取出し、取出した苗を接地フロート１４によって整地された圃場面に下降搬送して植え付ける。
【００２９】
苗載台１３には、４つの苗植付機構１２に供給するマット状苗を植付機体の横方向に並べて載置する苗載置部が備えられている。苗載台１３は、植付機体の横方向にスライド移動可能に支持されている。苗載台１３は、苗植付機構１２の苗植え運動に連動させて横方向に往復移送され、各苗植付機構１２に対してマット状苗を横方向に往復移送しながら供給する。各苗植付機構１２がマット状苗の下端部から苗を取出すように、この苗取出しがマット状苗の横方向の一端部から他端部に向けて順次に行われるように、苗載台１３から各苗植付機構１２に苗供給できる。
【００３０】
走行車体について説明する。
原動部４は、走行車体の前部に設けられている。運転部５は、原動部４の後端部と、走行車体の後部とにわたって設けられている。走行車体の前部における左横側及び右横側の夫々にステップ３０が設けられている。
【００３１】
運転部５には、運転ステップ３１、運転座席３２、ステアリングハンドル３３、及びブレーキペダル３４が備えられている。運転座席３２は、走行車体の後部に設けられている。ステアリングハンドル３３は、運転座席３２の前方に回転操作可能に設けられている。ステアリングハンドル３３と、左右の前車輪２の操向操作部（図示せず）とが連動連結されている。ステアリングハンドル３３を回転操作することによって左右の前車輪２を操向操作できる。
【００３２】
ブレーキペダル３４は、ステアリングハンドル３３の横側方に設けられている。詳述すると、ブレーキペダル３４は、ステアリングハンドル３３の右側の横側方に設けられている。ブレーキペダル３４には、走行車体上下向きのペダルアーム３５と、ペダルアーム３５の上端部に支持されるペダル部３６とが備えられている。ペダルアーム３５は、運転ステップ３１の下方に設けられたペダル支軸（図示せず）から上方向きに揺動可能に延出されている。ペダルアーム３５と、後輪駆動ケース８に内装された走行ブレーキ（図示せず）の操作部（図示せず）とが連動連結されている。ブレーキペダル３４を踏み込み操作することにより、走行ブレーキを入り状態に操作でき、後車輪３にブレーキを掛けることができる。ブレーキペダル３４の踏込み操作を解除することにより、走行ブレーキを切り状態に操作でき、後車輪３のブレーキを解除できる。
【００３３】
ブレーキペダル３４からブレーキレバー３７が車体前方向きに延出されている。ブレーキレバー３７の近くにロックレバー３８が設けられている。車体前方の車外からブレーキレバー３７を揺動操作することができ、ブレーキレバー３７を操作することにより、ブレーキペダル３４を操作でき、後車輪３にブレーキを掛けたり、このブレーキを解除したりできる。ブレーキレバー３７をブレーキ入り位置に操作したとき、ロックレバー３８のフック部をブレーキレバー３７に掛けることにより、ブレーキレバー３７をロックレバー３８によってブレーキ入り位置に保持して走行ブレーキを入り状態に維持でき、走行ブレーキを駐車ブレーキとして、後車輪３に駐車ブレーキを掛けることができる。
【００３４】
図２，３に示すように、左のステップ３０は、原動部４と左横側の予備苗収容装置２０との間において、運転ステップ３１の前端と、走行車体の前端部とに亘って設けられている。右のステップ３０は、原動部４と右横側の予備苗収容装置２０との間において、運転ステップ３１の前端と、走行車体の前端部とに亘って設けられている。ステップ３０を使用することにより、原動部４の横側を通って走行車体の前方の車外と、運転部５との間を移動できる。右のステップ３０の後端部に、ブレーキペダル３４のペダルアーム３５が通る貫通孔が設けられている。
【００３５】
予備苗収容装置２０について説明する。
図１，２，３に示すように、左右の予備苗収容装置２０の夫々には、１本の車体上下向きの支柱２１が備えられている。支柱２１は、車体フレーム１に設けられた支持部からステップ３０の横外側の箇所に延出し、この箇所から原動部４の横側方を上方にステアリングハンドル３３の横側方箇所まで延出するように配備されている。支柱２１に上下２段の苗載せ棚２２が支持されている。上下２段の苗載せ棚２２は、支柱２１から車体横外側に突出する状態で支持されている。図３，４，５に示すように、支柱２１にステー２３が設けられている。上下２段の苗載せ棚２２の夫々の取付部２２ａがステー２３に支軸２４を介して回転可能に連結されている。上下２段の苗載せ棚２２の夫々は、支軸２４の車体前後向きの軸芯を揺動軸芯として、図３に二点鎖線で示される上昇格納姿勢と、図３に実線で示される下降使用姿勢とに亘って揺動操作できる。
【００３６】
左右の予備苗収容装置２０の夫々において、上下２段の苗載せ棚２２を下降使用姿勢に切り換えることにより、各苗載せ棚２２に予備マット状苗を収容できる。
【００３７】
図１，２，３に示すように、左右の予備苗収容装置２０のうち、走行車体におけるブレーキペダル３４を備えた側に位置している予備苗収容装置２０の支柱２１にドリンク用ホルダー４０が支持されている。詳述すると、右側の予備苗収容装置２０の支柱２１にドリンク用ホルダー４０が支持されている。
【００３８】
ドリンク用ホルダー４０は、支柱２１から車体横内側に突出する状態で、かつ、ドリンク用ホルダー４０の下端４１が下降使用姿勢の下段の苗載せ棚２２よりも上方に位置する状態で支持されている。ドリンク用ホルダー４０が下段の苗載せ棚２２を上昇格納姿勢に切り換えることの障害になることを回避しつつ、ペットボトルなどの容器を下降使用姿勢の下段の苗載せ棚２２よりも高い箇所に位置させてドリンク用ホルダー４０に収容できる。
【００３９】
図３に示すように、ドリンク用ホルダー４０は、車体前後方向視において、ドリンク用ホルダー４０の車体内側端４２がペダルアーム３５よりも車体横外側に位置する状態で、かつ、ドリンク用ホルダー４０の車体内側端４２がペダル部３６の車体横外側端３６ａよりも車体横内側に位置する状態で支持されている。ペダル部３６の上方にドリンク用ホルダー４０があまり入り込まないようにしつつ、ドリンク用ホルダー４０を極力車体横内側に寄せている。
【００４０】
図４，５，６に示すように、ドリンク用ホルダー４０は、平面視で円形の周壁部４３及び底壁部４４を有し、円柱状の収容空間４５を備えている。周壁部４３（ドリンク用ホルダー４０）の上端４６に出入口４７が形成されている。出入口４７のまわりに、平面視で円形の鍔部４８が形成されている。底壁部４４には、水抜き穴４９が形成されている。ドリンク用ホルダー４０は、樹脂材の成型によって作製されている。ペットボトルなどの容器を出入口４７に上方から入れ込むことによって、容器を収容空間４５に収容できる。容器を出入口４７の上方へ抜き上げることにより、容器を収容空間４５から取出せる。
【００４１】
ドリンク用ホルダー４０の横側部に取付部５０が備えられている。取付部５０と挟持部材５１とによってドリンク用ホルダー４０を支柱２１に取付るように構成されている。
【００４２】
すなわち、取付部５０の端部５２に形成された凹部５２ａ、及び挟持部材５１に形成された凹部５１ａに支柱２１が入り込む状態で、取付部５０と挟持部材５１とを連結ネジ５３によって締め付け連結することによって、取付部５０と挟持部材５１とによって支柱２１を挟持できる。取付部５０と挟持部材５１とによって支柱２１を挟持させることによって、ドリンク用ホルダー４０を支柱２１に取付けられる。
【００４３】
取付部５０は、ドリンク用ホルダー４０を作製するとき、ドリンク用ホルダー４０の横側部に一体成形されている。取付部５０は、樹脂材によって作製されている。取付部５０は、取付部５０のドリンク用ホルダー側とは反対側の端部５２における上端５２ｂがドリンク用ホルダー４０（周壁部４３）の上端４６よりも下方に位置する状態で作製されている。挟持部材５１は、金属によって作製されている。挟持部材５１は、具体的には、金属板によって構成されている。
【００４４】
支柱２１に位置決め孔２１ａが設けられている。位置決め孔２１ａに係入する位置決め突起５１ｂが挟持部材５１に設けられている。位置決め突起５１ｂは、金属によって作製されている。位置決め突起５１ｂは、具体的には、挟持部材５１に固定された金属ピンによって構成されている。位置決め孔２１ａと位置決め突起５１ｂとによって挟持部材５１と支柱２１とが係合する。挟持部材５１と支柱２１との係合により、ドリンク用ホルダー４０の支柱２１に対する回り止めができ、ドリンク用ホルダー４０の支柱２１に対する位置ずれを防止できる。
【００４５】
〔別実施例〕
（１）上記した実施例では、ブレーキペダル３４を走行車体の右横側に設け、右側の予備苗収容装置２０の支柱２１にドリンク用ホルダー４０を支持した例を示したが、ブレーキペダル３４を走行車体の左横側に設け、左側の予備苗収容装置２０の支柱２１にドリンク用ホルダー４０を支持して実施してもよい。
【００４６】
（２）上記した実施例では、４条植えが可能な苗植付装置１０を装備した例を示したが、６条植えなど、４条植え以外の苗植付装置を装備して実施してもよい。
【００４７】
（３）上記した実施例では、予備苗収容装置２０に上下２段の苗載せ棚２２が備えられた例を示したが、３段以上の苗載せ棚を備えて実施してもよい。
【００４８】
（４）上記した実施例では、樹脂製のドリンク用ホルダー４０を採用した例を示したが、金属など、樹脂以外の素材によって作製されたドリンク用ホルダーを採用して実施してもよい。
【００４９】
（５）上記した実施例では、ドリンク用ホルダー４０に一体形成された取付部５０を採用した例を示したが、ドリンク用ホルダー４０とは別部材に形成された取付部を採用して実施してもよい。
【００５０】
（６）上記した実施例では、位置決め孔２１ａ及び位置決め突起５１ｂを設けた例を示したが、位置決め孔２１ａ及び位置決め突起５１ｂを設けずに実施してもよい。
【産業上の利用可能性】
【００５１】
本発明は、苗植付のみが可能な乗用型田植機の他、播種機能や施肥機能を備えた乗用型田植機に適用できる。
【符号の説明】
【００５２】
２０        予備苗収容装置
２１        支柱
２１ａ      位置決め孔
２２        苗載せ棚
３０        ステップ
３１        運転ステップ
３２        運転座席
３３        ステアリングハンドル
３４        ブレーキペダル
３５        ペダルアーム
３６        ペダル部
３６ａ      車体横外側端
４０        ドリンク用ホルダー
４１        下端
４２        車体内側端
４６        上端
５０        取付部
５１        挟持部材
５１ｂ      位置決め突起
５２        端部
５２ｂ      上端
【図１】
2016082903.tif 000003
【図２】
2016082903.tif 000004
【図３】
2016082903.tif 000005
【図４】
2016082903.tif 000006
【図５】
2016082903.tif 000007
【図６】
2016082903.tif 000008